(57)【要約】【課題】額縁を壁にかける際に，短時間で作業が出来るように，建物の壁に余分な穴をあけずに，円滑に作業ができるようにする額縁固定具を提供する 。【解決手段】壁に直接額縁を取り付けようとすると，木造でも鉄筋でも沢山の穴を開けてしまうのでそれを避けるために額縁固定具を使用して無駄な穴を建物に開けないようにする事が出来る事を特徴とする。【選択図】図１
2014176536.tif 000002
【特許請求の範囲】
【請求項１】
合成樹脂でＹの字を逆さまにした形で，下部の左右２箇所の先端にやや１２０度に額縁支え部下部（２）を連結し，更にその先に９０度に曲げて額縁支え部正面（３）を設け，額縁支え部（２）（３）の上には，額縁を傷つけないようにクッション（１３）を密着させ，額縁支え部（２）の壁側には角度調整具（４）を設け，一番上部にはフックに掛けるための固定穴（１０）を設け，その固定穴の下部左には，フックが入るための切り口（１５）を設け，切り口（１５）の内部に穴を開けてストッパーを設け，ストッパーで切り口を開閉させるためにレバー（１２）及びその下部にスプリング（１４）を設けた壁に傷をつけずに額縁を固定できる額縁固定具。
【請求項２】
額縁固定具の材質は合成樹脂に代えて金属を使用した請求項１記載の額縁固定具。
【発明の詳細な説明】
【技術分野】
【０００１】
本発明は，木造住宅の室内，コンクリート造りマンションの室内等で壁に額縁をかける際に壁を破損させる事がなく額縁を掛ける事ができる額縁固定具に関するものである。
【背景技術】
【０００２】
従来，額縁を買ってきて木造住宅の室内，コンクリート造りのマンションや，ビルの事務所の壁に掛けようとする時は，技術大国日本においても全て不便をする事は避けられず悩みの種になっていることは多くの人が経験済みである。
特許文献１・特許文献２・特許文献３・特許文献４・特許文献５において記載はあるが技術的，構造的な違いが大きい。
【先行技術文献】
【特許文献】
【０００３】
【特許文献１】特開２００２−２０１８６５号公報
【特許文献２】特開２００１−１６９８８０号公報
【特許文献３】特開２０００−３４５７７２号公報
【特許文献４】特許４００８１５５号公報
【特許文献５】実登３０３９３１５号公報
【発明の概要】
【発明が解決しようとする課題】
【０００４】
木造造りの住宅は額縁の上部の釘は打つことが出来るが，天井と打った釘の間隔がないため額縁を掛けようとすると大変困難である。又，下部二箇所の釘を打つために，丁度その場所に内部に柱が入っているとは限らないため，壁に余分な穴を幾つもあけてしまう。コンクリート造りのマンションやビルでも同様であり，住宅もビルも賃貸の場合は壁に傷をつけると家主との間に大きなトラブルとなる。
又，テナントビル，自社ビル，役所の建物でも同様であり，額縁を掛けることは何処の会社や役所でも必要であるが，掛ける条件が揃っていないため，構造上極めて不便であり大きな課題である。
【課題を解決するための手段】
【０００５】
課題を解決するために本発明は，以下の構成とした。
即ち壁の上のフックに掛けるだけで額縁を固定出来る物とした。
合成樹脂でＹの字を逆さまにした形で（図５），その下部左右のそれぞれの先端部に壁よりやや１２０度に曲げて額縁支え部下部（２）を連結し，それに額縁支え部正面（３）を９０度曲げて連結した（図８）。額縁支え部（２）（３）の上には額縁が傷をつけないようにクッション（１３）を密着させ，又額縁支え部（２）の壁側には角度調整具（４）を設けた。
又，一番上部にはフックに掛けるための固定穴（１０）を設け，その固定穴の下部左には，フックが入るための切り口（１５）を設け，切り口（１５）の内部に穴を開けストッパーを設ける。ストッパーで切り口を開閉させるためにレバー（１２）及びその下部にスプリング（１４）を設けた。
【０００６】
既存の木造住宅では，室内の一番上にＬ型フック（５）をねじ込み，額縁固定具本体（１）の上部にある固定穴（１０）を差し込むとき，フックと天井の隙間が少ないため，額縁固定具本体（１）を天井と平行に入れて，穴にフックが入ったら本体（１）を壁側に９０度角度を変えて初めてフックに掛ける事が出来る。
これについて，もっと楽に作業が出来るように，額縁固定具の固定穴（１０）の構造を単純に丸い穴を開けるのではなく，額縁固定具（１）の上部を壁に平行に，そのまま近づけてＬ型フック（５）の右からレバー（１２）を下に引きながら固定穴（１０）にＬ型フックが入ってから，指で押さえていたレバー（１２）を放すと完全に額縁固定具（１）は固定される。固定されたら，額縁（６）の下部を額縁固定具（１）の額縁支え部（２）の上に載せて，額縁（６）の紐（７）をフック（５）に掛ける。
最後の調整として，天井と壁の境目にラワン材が入っている場合は，壁から若干隙間が出来る為，額縁固定具（１）の下部背面にあるネジで調整する角度調整具（４）で調整して額縁固定完成となる。
【発明の効果】
【０００７】
（イ）無駄なところに穴をあけて，建物に傷をつける必要がない。
（ロ）無駄な労力を使わなくて済む。
（ハ）高所作業の危険率を少なくできる。
（二）短時間作業で終了できる。
（ホ）企業も役所も，ビルの室内上座の上部に社訓・社是・感謝状等必要な額縁は壁に傷つけることなく取り付ける事が出来る。
【図面の簡単な説明】
【０００８】
【図１】木造住宅の室内に額縁固定具と額縁をセットした左側面図
【図２】木造住宅の室内に額縁固定具と額縁をセットした正面図
【図３】鉄筋コンクリートの建物に額縁固定具と額縁をセットした左側面図
【図４】鉄筋コンクリートの建物に額縁固定具と額縁をセットした正面図
【図５】額縁固定具のみの正面図
【図６】固定穴とストッパーを正面から見た内部説明図
【図７】固定穴とストッパーを側面から見た内部説明図
【図８】額縁固定具のみの側面図
【発明を実施するための形態】
【０００９】
以下，本発明を実施するための最良の形態について説明する。
鉄筋コンクリート造りのマンション，賃貸マンション，テナントビル，自社ビル，役所，木造住宅において額縁固定具を使用する事により，所有者は建物に傷を付ける事がなくなる。又，現在フックなしで使用している賃貸住宅及び自己所有の建物では，リフォームの際に壁埋め込み型フックをついでに建物に取り付けると，更に額縁固定具を使用する場合便利であり，完全無傷で木造・鉄筋コンクリート構造の建物に額縁固定具に額縁をセットして自由に使用できる。更に新築時に設計段階から壁埋め込み型フックを取り付けた場合は，一層便利である。上部に一カ所だけ，フックがあれば木造住宅でも，鉄筋コンクリートのマンション，ビルでも全て他に傷をつけることなく額縁を掛けられる事ができる。又，固定穴（１０）の左にストッパー（１１）があり，その下部にはレバー（１２）があり，その下にはスプリング（１４）で上に常に押し付けているので，地震が来ても外れない構造になっている。
【符号の説明】
【００１０】
１．額縁固定具本体
２．額縁支え部（下部）
３．額縁支え部（正面）
４．角度調整具  
５．Ｌ型フック
６．額縁
７．額縁の紐
８．壁
９．ラワン材
１０．固定穴
１１．ストッパー
１２．レバー
１３．クッション
１４．スプリング
１５．切り口
【図１】
2014176536.tif 000003
【図２】
2014176536.tif 000004
【図３】
2014176536.tif 000005
【図４】
2014176536.tif 000006
【図５】
2014176536.tif 000007
【図６】
2014176536.tif 000008
【図７】
2014176536.tif 000009
【図８】
2014176536.tif 000010